(57)【要約】【課題】  オットマンのスライド操作構造が簡素化して安価になるとともに、使い勝手の良い椅子式マッサージ機を提供する。【解決手段】  座席部３の前部に、前後方向に延在するレール部材１０を上下回動自在に取付け、このレール部材１０にオットマン６をスライド自在に取付ける一方、オットマン６が座席部３に近づく方向Ｒにスライドするように付勢する付勢機構１２と、オットマン６を所望のスライド位置にロックするロック機構１４とを設けるとともに、オットマン６の座席部３に近い部位に形成した立ち上がり部１１の近傍に、プッシュ操作でロック機構１４をロック解除操作可能な操作部１７を設けた。【選択図】  図１
2006223721.tif 000002
【特許請求の範囲】
【請求項１】
座席部の前部に、前後方向に延在するレール部材を上下回動自在に取付け、このレール部材にオットマンをスライド自在に取付ける一方、前記オットマンが座席部に近づく方向にスライドするように付勢する付勢機構と、前記オットマンを所望のスライド位置にロックするロック機構とを設けるとともに、前記オットマンの座席部に近い部位に形成した立ち上がり部の近傍に、プッシュ操作で前記ロック機構をロック解除操作可能な操作部を設けたことを特徴とする椅子式マッサージ機。
【請求項２】
前記オットマンの左右位置に前記立ち上がり部を設けたことを特徴とする請求項１記載の椅子式マッサージ機。
【請求項３】
前記操作部は、前記立ち上がり部にそれぞれ設けて、いずれか一方の操作部のプッシュ操作で前記ロック機構をロック解除できるようになっていることを特徴とする請求項２記載の椅子式マッサージ機。
【請求項４】
前記操作部は、座面部から遠ざかる方向にプッシュ操作するようになっていることを特徴とする請求項１〜３のいずれか一項に記載の椅子式マッサージ機。
【発明の詳細な説明】
【技術分野】
【０００１】
本発明は、椅子式マッサージ機に関する。
【背景技術】
【０００２】
従来、座席部の前部に取付けたレール部材にオットマンをスライド自在に取付けて、オットマンが座席部に近づく方向にスライドするように付勢するとともに、オットマンを所望のスライド位置にロックするようにした椅子式マッサージ機がある（特許文献１参照）。
【０００３】
この椅子式マッサージ機のロック機構は、一方向ロックであって、オットマンの座席部から遠い部位に形成した足裏押し当て面を座面部から遠ざかる方向に足で押し操作すると、その押し位置でロックされるとともに、操作器（操作パネル）のボタンを押すと、電磁弁の切り換えでエアセルに給気して膨張させることで、ロックを解除するようになっている。
【特許文献１】特開２００４−１３５９２８号公報
【発明の開示】
【発明が解決しようとする課題】
【０００４】
しかしながら、特許文献１のオットマンのスライド操作構造では、ロックの解除の際には、操作器のボタンを押したことを検出して切り換え信号を出力する制御回路、電磁弁、エアセル等が必要となるから、構造が複雑化して高価になるという問題があった。
【０００５】
本発明は、前記問題を解消するためになされたもので、オットマンのスライド操作構造が簡素化して安価になるとともに、使い勝手の良い椅子式マッサージ機を提供することを目的とするものである。
【課題を解決するための手段】
【０００６】
前記課題を解決するために、本発明の椅子式マッサージ機は、座席部の前部に、前後方向に延在するレール部材を上下回動自在に取付け、このレール部材にオットマンをスライド自在に取付ける一方、前記オットマンが座席部に近づく方向にスライドするように付勢する付勢機構と、前記オットマンを所望のスライド位置にロックするロック機構とを設けるとともに、前記オットマンの座席部に近い部位に形成した立ち上がり部の近傍に、プッシュ操作で前記ロック機構をロック解除操作可能な操作部を設けたことを特徴とするものである。
【０００７】
軽力で楽にオットマンをスライド操作できるように、前記オットマンの左右位置に前記立ち上がり部を設けることが好ましい。
【０００８】
使い勝手を良くするために、前記操作部は、前記立ち上がり部にそれぞれ設けて、いずれか一方の操作部のプッシュ操作で前記ロック機構をロック解除できるようにすることが好ましい。
【０００９】
使い勝手を良くするために、前記操作部は、座面部から遠ざかる方向にプッシュ操作するようになっていることが好ましい。
【発明の効果】
【００１０】
本発明によれば、オットマンの座席部に近い部位の立ち上がり部の近傍に設けた操作部のプッシュ操作でロック機構のロックを解除できるから、スライド操作構造が簡素化して安価になるとともに、使用者が座席部に着席した状態で、立ち上がり部を押し操作してオットマンを座席部から遠ざかる方向にスライドさせることができるから、使い勝手が良くなる。また、操作部は、押しボタン式等のシンプルで突出が比較的少ない形状に構成できるので、オットマン周辺のデザイン性を損なうことが少なくなる。
【００１１】
さらに、オットマンが座席部に近づく方向にスライドするように付勢機構で付勢しているから、操作部のプッシュ操作でロック機構のロックを解除すると、オットマンは、付勢機構の付勢力で座面部に近づく方向に自動的にスライドするようになる。
【発明を実施するための最良の形態】
【００１２】
以下、本発明を実施するための最良の形態について、図面を参照しながら詳細に説明する。
【００１３】
図１および図４に示すように、椅子式マッサージ機１は、椅子本体２の上部に座席部３が取付けられ、椅子本体２の左右両側部に肘掛け部４が取付けられている。前記座席部３の後部には背もたれ部５が設けられ、この背もたれ部５内には、マッサージ機構（不図示）が内蔵されて、マッサージ機構で駆動される施療子８が背もたれ部５の前面から前方に突出されている。
【００１４】
前記座席部３の前部の幅方向の中央部には、前後方向に延在する中空のレール部材１０の基部１０ａがヒンジ軸１０ｂで上下回動自在に取付けられて、このレール部材１０に、オットマン６の下部のスライド部６ａが前後スライド自在に支持されている。
【００１５】
前記オットマン６は、前記レール部材１０と椅子本体２との間に設けたシリンダー等の駆動機構７により、レール部材１０とともに、図４の下動位置と図１の上動位置との間で上下位置を調整できるようになっている。
【００１６】
前記オットマン６の座席部３に近い部位の左右位置には、図３（ａ）に詳細に示すように、前後面に指握り部１１ａを形成した２本のグリップ状の立ち上がり部１１が設けられている。なお、立ち上がり部１１は、左右位置のいずれか１本であっても良く、左右位置の中間部に１本であっても良い。
【００１７】
図２に示すように、前記レール部材１０の中空部内には前後方向に延在する引っ張りスプリング（付勢機構）１２が収納されて、引っ張りスプリング１２の後端がレール部材１０の後部に係止されるとともに、引っ張りスプリング１２の前端が前記オットマン６のスライド部６ａに係止されている。この引っ張りスプリング１２によって、オットマン６が座席部３に近づく方向Ｒにスライドするように付勢されている。
【００１８】
前記オットマン６とレール部材１０には、オットマン６を所望のスライド位置にロックするロック機構１４が設けられている。このロック機構１４は、前記オットマン６の下面に、前後方向に延在する櫛歯状のロック板１５が取付けられるとともに、前記レール部材１０の前部に、ロック板１５の櫛歯の１つに係合可能なロック爪１６がピン１６ａで前後回動可能に支持されて構成されている。
【００１９】
前記左右の立ち上がり部１１の上部前面には穴部１１ｂが形成され、この穴部１１ｂには、前方からプッシュ操作可能なボタン（操作部）１７が前後動可能に嵌入され、このボタン１７と前記ロック爪１６とは、フレキシブルなワイヤー１８でそれぞれ連結されている。前記穴部１１ｂ内には、前記ボタン１７を突出方向に付勢する圧縮スプリング１９が収納されている。
【００２０】
前記ボタン１７が圧縮スプリング１９で突出方向に付勢された状態では、ワイヤー１８でロック爪１６がロック方向（図２の右旋方向）に引っ張られて、ロック板１５の櫛歯の１つに係合するとともに、前記左右の立ち上がり部１１にそれぞれ設けたいずれか一方のボタン１７を圧縮スプリング１９の付勢力に抗して前方（座面部３から遠ざかる方向Ｌ）にプッシュ操作すると、ワイヤー１８がロック爪１６をロック解除方向（図２の左旋方向）に押して、ロック板１５の櫛歯から係合が外れるようになる。なお、前記ロック爪１６に前記圧縮スプリング１９よりも弱い力でロック爪１６をロック解除方向に付勢するスプリング２０を設ければ、ロック爪１６のがたつきを防止することができる。
【００２１】
前記ボタン１７は、立ち上がり部１１の前面に設ける必要は必ずしも無く、側面や背面であっても良く、立ち上がり部１１の近傍であれば、オットマン６側に設けても良い。また、操作部としては、必ずしもボタン１７である必要な無く、ワイヤー１８を押し引きできるような操作レバーであっても良い。さらに、ロック爪１６に操作レバーを一体に設けても良い。
【００２２】
前記のように椅子式マッサージ機１を構成すれば、オットマン６が図２のスライド位置にロックされている状態から、立ち上がり部１１のボタン１７を指で前方にプッシュ操作すれば、ワイヤー１８がロック爪１６をロック解除方向（図２の左旋方向）に押して、ロック爪１６がロック板１５の櫛歯から係合が外れるようになるから、ボタン１７をプッシュ操作したままで立ち上がり部１１を手で握って前方に押し操作すれば、引っ張りスプリング１２の付勢力に抗してオットマン６を座席部から遠ざかる方向Ｌにスライドさせることができる。
【００２３】
逆に、ボタン１７をプッシュ操作したままで立ち上がり部１１を手で軽く握って、腕の押し力を弱めると、オットマン６は、引っ張りスプリング１２の付勢力で座面部３に近づく方向Ｒに自動的にスライドするようになる。
【００２４】
そして、オットマン６の所望のスライド位置でボタン１７のプッシュ操作をやめると、ボタン１７が圧縮スプリング１９で突出方向に付勢されて、ワイヤー１８でロック爪１６がロック方向に引っ張られて、ロック板１５の櫛歯の１つに係合するので、オットマン６がそのスライド位置でロックされるようになる。
【００２５】
前記椅子式マッサージ機１では、オットマン６の座席部３に近い部位の立ち上がり部１１の近傍に設けたボタン１７のプッシュ操作でロック機構１４のロックを解除できるから、スライド操作構造が簡素化して安価になる。
【００２６】
また、使用者が座席部３に着席した状態で、立ち上がり部１１を押し操作してオットマン６を座席部から遠ざかる方向Ｌにスライドさせることができるから、使い勝手が良くなる。
【００２７】
さらに、ボタン１７は、シンプルで突出が比較的少ない形状に構成できるので、オットマン６周辺のデザイン性を損なうことが少なくなる。
【００２８】
また、オットマン６が座席部に近づく方向Ｒにスライドするように引っ張りスプリング１２で付勢しているから、ボタン１７のプッシュ操作でロック機構１４のロックを解除すると、オットマン６は、引っ張りスプリング１２の付勢力で座面部３に近づく方向Ｒに自動的にスライドするようになる。
【００２９】
さらに、オットマン６の左右位置に立ち上がり部１１をそれぞれ設けているから、使用者は、立ち上がり部１１の近傍にボタン１７のプッシュ操作でロック機構１４のロックを解除して、両手で立ち上がり部１１を押し操作してオットマン６を座席部から遠ざける方向Ｌにスライドさせることができるので、より軽力で楽にオットマン６をスライド操作できるようになる。
【００３０】
また、ボタン１７を左右位置の立ち上がり部１１にそれぞれ設けたから、ボタン１７をプッシュ操作する時に、使用者の都合の良い手（例えば利き腕側の手）でボタン１７の一方をプッシュ操作できるので、使い勝手が良くなる。
【００３１】
さらに、ボタン１７を座面部３から遠ざかる方向Ｌにプッシュ操作してロック機構１４のロックを解除するとともに、座席部３から遠ざかる方向Ｌに立ち上がり部１１を押し操作してオットマン６をスライドさせることができるから、座面部３から遠ざかる方向Ｌにプッシュ操作および押し操作をするという一方向の動作になるので、使い勝手が良くなる。また、手だけに限らず、足裏だけでもプッシュ操作と押し操作をすることが可能になる。
【００３２】
前記実施形態では、前記オットマン６の座席部３に近い部位の左右位置にグリップ状の立ち上がり部１１を設けたものであったが、図３（ｂ）に示すように、前記オットマン６の左右位置と中央部とに、エアーバックが入った側壁状の立ち上がり部１１を設けたものであっても良い。この場合には、左右位置の立ち上がり部１１にボタン１７をそれぞれ設ければ良い。
【図面の簡単な説明】
【００３３】
【図１】本発明の実施形態に係る椅子式マッサージ機の側面図である。
【図２】要部を破断したオットマンの側面図である。
【図３】（ａ）はオットマンの斜視図、（ｂ）は別の実施形態のオットマンの斜視図である。
【図４】本発明の実施形態に係る椅子式マッサージ機の斜視図である。
【符号の説明】
【００３４】
１    椅子式マッサージ機
２    椅子本体
３    座席部
６    オットマン
１０  レール部材
１１  立ち上がり部
１２  引っ張りスプリング（付勢機構）
１４  ロック機構
１７  ボタン（操作部）
Ｒ    座席部に近づく方向
【図１】
2006223721.tif 000003
【図２】
2006223721.tif 000004
【図３】
2006223721.tif 000005
【図４】
2006223721.tif 000006